(57)【要約】【課題】  長時間の番組等であってもその全てを記録することができると共に、必要以上の質の劣化を伴って番組等を記録することが不要な情報記録再生装置等を提供する。【解決手段】  放送番組等を常時記録するハードディスク３ａと、放送番組等の記録中にその放送番組又は既に記録された記録済み情報のいずれか一方を再生するマイコン部８と、を備える情報記録再生装置Ｒにおいて、ＤＶＤ４ａに放送番組等を記録するとき、その放送番組等の情報量と、その放送番組等を記録するＤＶＤ４ａ上の記録領域の容量と、を検出し、検出された情報量及び記録容量に基づいて、放送番組等の全てを一のＤＶＤ４ａに記録することが可能か否かを判定する。そして、検出された記録容量以下の情報量を有する部分記録情報に放送番組等を分割し、その分割された一の部分記録情報を一のＤＶＤ４ａに記録することを各部分記録情報毎に繰り返して各部分記録情報を複数のＤＶＤ４ａに記録する。【選択図】  図１
2005108339.tif 000002
【特許請求の範囲】
【請求項１】
外部から入力される記録情報を常時記録する第１記録媒体と、前記第１記録媒体に前記記録情報が記録されている間に前記記録情報又は前記第１記録媒体に記録された記録済み情報の少なくともいずれか一方を再生する再生手段と、を備える情報記録再生装置において、
前記第１記録媒体とは異なる第２記録媒体に前記いずれか一方を記録するとき、前記第２記録媒体に記録すべき前記いずれか一方の情報量を検出する情報量検出手段と、
前記いずれか一方を記録するための前記第２記録媒体上の記録領域の記録容量を検出する記録容量検出手段と、
前記検出された情報量と前記検出された記録容量に基づいて、前記いずれか一方の全てを一の前記第２記録媒体に記録することが可能か否かを判定する判定手段と、
前記検出された記録容量以下の情報量を有する複数の部分記録情報に前記いずれか一方を分割する分割手段と、
前記分割された一の部分記録情報を一の前記第２記録媒体に記録することを各前記部分記録情報について繰り返すことにより、前記分割された部分記録情報の夫々を複数の前記第２記録媒体の夫々に記録する記録手段と、
を備えることを特徴とする情報記録再生装置。
【請求項２】
請求項１に記載の情報記録再生装置において、
前記全てを一の前記第２記録媒体に記録することができないとき、前記全てを記録するために必要な前記第２記録媒体の数を検出して告知する告知手段を更に備えることを特徴とする情報記録再生装置。
【請求項３】
請求項１又は２に記載の情報記録再生装置において、
前記分割手段及び前記記録手段は、前記全てを一の前記第２記録媒体に記録することができないとき、前記全ての質を劣化させることなく各前記部分記録情報を生成することを特徴とする情報記録再生装置。
【請求項４】
請求項１又は２に記載の情報記録再生装置において、
前記分割手段及び前記記録手段は、前記全てを一の前記第２記録媒体に記録することができないとき、予め設定された数の前記第２記録情報に前記全てを記録することが可能となるように前記全ての質を変更して各前記部分記録情報を生成することを特徴とする情報記録再生装置。
【請求項５】
請求項１から４のいずれか一項に記載の情報記録再生装置において、
前記分割手段は、前記全ての情報内容に無関係に、一の前記部分記録情報の情報量と、一の前記第２記録媒体における前記記録容量と、が等しくなるように前記全てを分割することを特徴とする情報記録再生装置。
【請求項６】
請求項１から４のいずれか一項に記載の情報記録再生装置において、
前記いずれか一方は音情報を少なくとも含んでいると共に、
前記分割手段は、前記音情報が無音であるタイミングにおいて前記全てを分割して前記部分記録情報を生成することを特徴とする情報記録再生装置。
【請求項７】
請求項１から４のいずれか一項に記載の情報記録再生装置において、
前記いずれか一方は動画像情報を少なくとも含んでいると共に、
前記分割手段は、前記動画像情報における場面変換のタイミングにおいて前記全てを分割して前記部分記録情報を生成することを特徴とする情報記録再生装置。
【請求項８】
請求項１から４のいずれか一項に記載の情報記録再生装置において、
前記いずれか一方の構造が階層構造であると共に、
前記分割手段は、前記階層構造における単位情報の区切りにおいて前記全てを分割して前記部分記録情報を生成することを特徴とする情報記録再生装置。
【請求項９】
請求項１から４のいずれか一項に記載の情報記録再生装置において、
前記いずれか一方を管理するために用いられる管理情報が前記いずれか一方に付随していると共に、
前記分割手段は、前記管理情報に基づいて前記全てを分割して前記部分記録情報を生成することを特徴とする情報記録再生装置。
【請求項１０】
請求項１から４のいずれか一項に記載の情報記録再生装置において、
前記分割手段は、全ての前記部分記録情報の情報量が同一となるように前記全てを分割して前記部分記録情報を生成することを特徴とする情報記録再生装置。
【請求項１１】
外部から入力される記録情報を常時記録する第１記録媒体と、前記第１記録媒体に前記記録情報が記録されている間に前記記録情報又は前記第１記録媒体に記録された記録済み情報の少なくともいずれか一方を再生する再生手段と、を備える情報記録再生装置において実行される情報記録再生方法において、
前記第１記録媒体とは異なる第２記録媒体に前記いずれか一方を記録するとき、前記第２記録媒体に記録すべき前記いずれか一方の情報量を検出する情報量検出工程と、
前記いずれか一方を記録するための前記第２記録媒体上の記録領域の記録容量を検出する記録容量検出工程と、
前記検出された情報量と前記検出された記録容量に基づいて、前記いずれか一方の全てを一の前記第２記録媒体に記録することが可能か否かを判定する判定工程と、
前記検出された記録容量以下の情報量を有する複数の部分記録情報に前記いずれか一方を分割する分割工程と、
前記分割された一の部分記録情報を一の前記第２記録媒体に記録することを各前記部分記録情報について繰り返すことにより、前記分割された部分記録情報の夫々を複数の前記第２記録媒体の夫々に記録する記録工程と、
を備えることを特徴とする情報記録再生方法。
【請求項１２】
外部から入力される記録情報を常時記録する第１記録媒体と、前記第１記録媒体に前記記録情報が記録されている間に前記記録情報又は前記第１記録媒体に記録された記録済み情報の少なくともいずれか一方を再生する再生手段と、を備える情報記録再生装置に含まれるコンピュータを、
前記第１記録媒体とは異なる第２記録媒体に前記いずれか一方を記録するとき、前記第２記録媒体に記録すべき前記いずれか一方の情報量を検出する情報量検出手段、
前記いずれか一方を記録するための前記第２記録媒体上の記録領域の記録容量を検出する記録容量検出手段、
前記検出された情報量と前記検出された記録容量に基づいて、前記いずれか一方の全てを一の前記第２記録媒体に記録することが可能か否かを判定する判定手段、
前記検出された記録容量以下の情報量を有する複数の部分記録情報に前記いずれか一方を分割する分割手段、及び、
前記分割された一の部分記録情報を一の前記第２記録媒体に記録することを各前記部分記録情報について繰り返すことにより、前記分割された部分記録情報の夫々を複数の前記第２記録媒体の夫々に記録する記録手段、
として機能させることを特徴とする情報記録再生用プログラム。
【請求項１３】
請求項１２に記載の情報記録再生用プログラムが前記コンピュータで読取可能に記録されていることを特徴とする情報記録媒体。
【発明の詳細な説明】
【技術分野】
【０００１】
本願は、情報記録再生装置、情報記録再生方法及び情報記録再生用プログラム並びに情報記録媒体の技術分野に属し、より詳細には、例えば放送電波を介して取得したテレビジョン放送の番組を光ディスク又はハードディスク等の記録媒体に記録して再生する情報記録再生装置及び情報記録再生方法並びに当該情報記録再生のための情報記録再生用プログラム及び当該情報記録再生用プログラムを記録する情報記録媒体の技術分野に属する。
【背景技術】
【０００２】
近年一般化しつつあるいわゆるハードディスクレコーダにおいては、受信した放送番組等の情報を、例えば内蔵のハードディスクに録画することが行われており、更に可搬性等の観点から当該録画した情報の中から所望される情報を選んでＤＶＤ（Digital Versatile Disc）等の光ディスクに転送（複写）することも行われていた。
【０００３】
ここで、従来のハードディスクレコーダにおいて、ハードディスクから読み出した情報を光ディスクに複写する場合、その複写すべき情報における情報量が複写先である光ディスクにおける空き記録容量を越えているときには、その複写すべき情報の質（より具体的には、例えば画質又は音質）を低減して転送レートを低減し、これにより一枚の光ディスクに全ての複写すべき情報を複写するようにすることが一般的であった。
【発明の開示】
【発明が解決しようとする課題】
【０００４】
しかしながら、上述した従来の複写記録の構成によると、複写前の情報量が多い長時間の番組については、相当な質の劣化を容認して一枚の光ディスクに複写することとなってしまい、その複写後の情報が見るに耐えないものになってしまう場合があるという問題点があった。
【０００５】
また、更に長時間の情報である場合には、最も低い質で光ディスクに複写しようとしても、当該光ディスク一枚内に収まらない場合があるという問題点もあった。
【０００６】
そこで、本願は上記の各問題点に鑑みて為されたもので、その課題の一例は、長時間の番組等であってもその全てを記録することができると共に、必要以上の質の劣化を伴って番組等を記録することが不要な情報記録再生装置及び情報記録再生方法並びに当該情報記録再生のための情報記録再生用プログラム及び当該情報記録再生用プログラムを記録する情報記録媒体を提供することにある。
【課題を解決するための手段】
【０００７】
上記の課題を解決するために、請求項１に記載の発明は、外部から入力される記録情報を常時記録するハードディスク等の第１記録媒体と、前記第１記録媒体に前記記録情報が記録されている間に前記記録情報又は前記第１記録媒体に記録された記録済み情報の少なくともいずれか一方を再生するマイコン部等の再生手段と、を備える情報記録再生装置において、前記第１記録媒体とは異なるＤＶＤ等の第２記録媒体に前記いずれか一方を記録するとき、前記第２記録媒体に記録すべき前記いずれか一方の情報量を検出するマイコン部等の情報量検出手段と、前記いずれか一方を記録するための前記第２記録媒体上の記録領域の記録容量を検出するマイコン部等の記録容量検出手段と、前記検出された情報量と前記検出された記録容量に基づいて、前記いずれか一方の全てを一の前記第２記録媒体に記録することが可能か否かを判定するマイコン部等の判定手段と、前記検出された記録容量以下の情報量を有する複数の部分記録情報に前記いずれか一方を分割するマイコン部等の分割手段と、前記分割された一の部分記録情報を一の前記第２記録媒体に記録することを各前記部分記録情報について繰り返すことにより、前記分割された部分記録情報の夫々を複数の前記第２記録媒体の夫々に記録するマイコン部等の記録手段と、を備える。
【０００８】
上記の課題を解決するために、請求項１１に記載の発明は、外部から入力される記録情報を常時記録する第１記録媒体と、前記第１記録媒体に前記記録情報が記録されている間に前記記録情報又は前記第１記録媒体に記録された記録済み情報の少なくともいずれか一方を再生する再生手段と、を備える情報記録再生装置において実行される情報記録再生方法において、前記第１記録媒体とは異なる第２記録媒体に前記いずれか一方を記録するとき、前記第２記録媒体に記録すべき前記いずれか一方の情報量を検出する情報量検出工程と、前記いずれか一方を記録するための前記第２記録媒体上の記録領域の記録容量を検出する記録容量検出工程と、前記検出された情報量と前記検出された記録容量に基づいて、前記いずれか一方の全てを一の前記第２記録媒体に記録することが可能か否かを判定する判定工程と、前記検出された記録容量以下の情報量を有する複数の部分記録情報に前記いずれか一方を分割する分割工程と、前記分割された一の部分記録情報を一の前記第２記録媒体に記録することを各前記部分記録情報について繰り返すことにより、前記分割された部分記録情報の夫々を複数の前記第２記録媒体の夫々に記録する記録工程と、を備える。
【０００９】
上記の課題を解決するために、請求項１２に記載の発明は、外部から入力される記録情報を常時記録する第１記録媒体と、前記第１記録媒体に前記記録情報が記録されている間に前記記録情報又は前記第１記録媒体に記録された記録済み情報の少なくともいずれか一方を再生する再生手段と、を備える情報記録再生装置に含まれるコンピュータを、前記第１記録媒体とは異なる第２記録媒体に前記いずれか一方を記録するとき、前記第２記録媒体に記録すべき前記いずれか一方の情報量を検出する情報量検出手段、前記いずれか一方を記録するための前記第２記録媒体上の記録領域の記録容量を検出する記録容量検出手段、前記検出された情報量と前記検出された記録容量に基づいて、前記いずれか一方の全てを一の前記第２記録媒体に記録することが可能か否かを判定する判定手段、前記検出された記録容量以下の情報量を有する複数の部分記録情報に前記いずれか一方を分割する分割手段、及び、前記分割された一の部分記録情報を一の前記第２記録媒体に記録することを各前記部分記録情報について繰り返すことにより、前記分割された部分記録情報の夫々を複数の前記第２記録媒体の夫々に記録する記録手段、として機能させる。
【００１０】
上記の課題を解決するために、請求項１３に記載の発明は、請求項１２に記載の情報記録再生用プログラムが前記コンピュータで読取可能に記録されている。
【発明を実施するための最良の形態】
【００１１】
次に、本願を実施するための最良の形態について、図面に基づいて説明する。なお、以下に説明する実施形態は、放送電波を介して受信した放送番組としての情報を一時的にハードディスクに記録すると共に、その後に当該情報をＤＶＤに転送して記録するハードディスクレコーダ等の情報記録再生装置において、当該ハードディスクに記録された情報をＤＶＤに複写する場合に本願を適用したときの実施の形態である。
【００１２】
（Ｉ）全体構成及び動作
始めに、実施形態に係る情報記録再生装置の全体構成について、図１を用いて説明する。なお、図１は、実施形態に係る情報記録再生装置の概要構成を示すブロック図である。
【００１３】
図１に示すように、実施形態に係る情報記録再生装置Ｒは、入力インターフェース部１と、アンテナ等により受信された入力信号が入力される受信部２と、内蔵される第１記録媒体としてのハードディスク３ａに対して情報の記録及び再生が可能なＨＤ（ハードディスク）ドライブ装置３と、装填されている第２記録媒体としてのＤＶＤ４ａに対して情報の記録及び再生が可能なＤＶＤドライブ装置４と、リモコン部５と、出力インターフェース部６と、入力部７と、再生手段、情報量検出手段、記録容量検出手段、判定手段、分割手段及び記録手段としてのマイコン部８と、メモリ部９と、ＵＳＢ（Universal Serial Bass）インターフェース部１１と、電話回線インターフェース部１２と、リモコンインターフェース部１３と、告知手段としてのディスプレイ部１４と、により構成されており、各構成部材はバス１５により相互の情報の授受が可能に接続されている。
【００１４】
次に、全体動作を説明する。
【００１５】
実施形態の情報記録再生装置Ｒにおいては、放送電波を介して受信した放送番組等の情報（以下、当該情報を適宜番組と称する）を受信し、これを上記ハードディスク３ａ又はＤＶＤ４ａのいずれか一方に記録すると共に、当該記録した番組を当該いずれか一方から検出して再生し、図示しない表示装置やスピーカに出力することが可能とされている。
【００１６】
そこで先ず、受信した番組をハードディスク３ａに記録する場合の全体動作について説明する。
【００１７】
受信すべき番組を搬送する放送電波は図示しないアンテナにより受信され、受信部２において復調等の処理が施された後に受信信号Ｓdtとして入力インターフェース部１へ出力される。
【００１８】
次に、入力インターフェース部１は、上記受信信号Ｓdtに対して予め設定されている入力インターフェース処理を施し、処理受信信号Ｓdiを生成する。
【００１９】
そして、ＨＤドライブ装置３内の図示しない記録部は、当該処理受信信号Ｓdiをハードディスク３ａに記録する。これにより、受信した番組がハードディスク３ａに記録されることとなる。
【００２０】
次に、受信した番組をＤＶＤ４ａに記録する場合の全体動作について説明する。
【００２１】
受信した番組をＤＶＤ４ａに記録する場合には、先ず、受信部２及び入力インターフェース部１において、上述した受信後の番組をハードディスク３ａに記録する場合と同様の処理を実行し、その処理により生成された信号をＤＶＤドライブ装置４へ出力する。
【００２２】
そして、ＤＶＤドライブ装置４内の図示しない記録部は、マイコン部８からの制御信号に基づいて、当該生成された信号をＤＶＤ４ａに記録する。これにより、受信した番組がＤＶＤ４ａに記録されることとなる。
【００２３】
次に、ハードディスク３ａに記録されている情報を再生して出力する場合の全体動作について説明する。
【００２４】
ハードディスク３ａに記録されている情報を再生して出力する場合には、始めに、ＨＤドライブ装置３内の図示しない再生部が、マイコン部８からの制御信号に基づいて、ハードディスク３ａに記録されている情報を検出して検出信号を生成し、これを出力インターフェース部６へ出力する。
【００２５】
これにより、出力インターフェース部６は、マイコン部８からの制御信号に基づいて、予め設定されている出力インターフェース処理をその検出信号に対して施し、音声出力信号Ｓsoおよび映像出力信号Ｓvoを生成して図示しないディスプレイ又はスピーカ等に出力する。これにより、ハードディスク３ａに記録されていた情報としての画像又は音声等が再生されることとなる。
【００２６】
最後に、ＤＶＤ４ａに記録されている情報を再生して出力する場合の全体動作について説明する。
【００２７】
ＤＶＤ４ａに記録されている情報を再生して出力する場合には、始めに、ＤＶＤドライブ装置４内の図示しない再生部が、マイコン部８からの制御信号に基づいて、ＤＶＤ４ａに記録されている情報を検出して検出信号を生成し、これを出力インターフェース部６へ出力する。
【００２８】
そして、出力インターフェース部６は、上述したハードディスク３ａに記録されている情報を再生して出力する場合と同様の出力インターフェース処理を検出信号に対して施し、同様に音声出力信号Ｓsoおよび映像出力信号Ｓvoを生成して図示しないディスプレイ又はスピーカ等に出力する。これにより、ＤＶＤ４ａに記録されていた情報としての画像又は音声等が再生されることとなる。
【００２９】
ここで、上述してきた全体動作を制御するための操作は、リモコン部５又はボタン操作部等よりなる入力部７において実行され、当該入力部７又はリモコンインターフェース部１３からは当該操作に対応する操作信号がマイコン部８に出力される。
【００３０】
そして、マイコン部８は、当該操作信号に基づいて、実行された操作に対応する動作が実行されるように情報記録再生装置Ｒの構成部材を制御するための上記制御信号を生成して各構成部材に出力する。また、当該マイコン部８の処理に必要な情報はメモリ部９に出力されて一時的に記憶された後に、必要に応じて再度メモリ部９から読み出され、マイコン部９における処理に供される。
【００３１】
なお、ハードディスク３ａからＤＶＤ４ａへ情報を複写するときは、上記制御信号に基づいて、複写すべき情報がＨＤドライブ装置３からＤＶＤドライブ装置４へ出力される。また、同様にＤＶＤ４ａからハードディスク３ａへ情報を複写するときは、上記制御信号に基づいて、複写すべき情報がＤＶＤドライブ装置４からＨＤドライブ装置３へ出力される。
【００３２】
（II）本願の実施形態
次に、主としてマイコン部８を中心として実行される本願の実施形態に係る情報の複写処理について、図１及び図２を用いて説明する。なお、図２は実施形態に係る複写処理の全体を示すフローチャートである。
【００３３】
また、以下の実施形態において、ハードディスク３ａからＤＶＤ４ａに複写する情報には、一本の映画や一つの放送番組等に相当するタイトルが複数含まれており、且つ、各タイトルは複数のチャプタなる情報単位（例えば一の番組におけるコマーシャルの部分と本編の部分が夫々異なるチャプタに相当する）の組み合わせで構成されているものとする。また、各タイトルには、そのタイトルに含まれる動画像情報の再生順序等を示す管理情報が当該動画像情報と共に含まれているものとする。
【００３４】
図２に示すように、実施形態の複写処理においては、初めに、複写すべき番組が入力部７又はリモコン部５において選択されると（ステップＳ１）、その複写すべき番組全体の情報量が検出される（ステップＳ２）。
【００３５】
次に、その検出された情報量と、装填されているＤＶＤ４ａにおける記録容量とが比較され、一枚のＤＶＤ４ａに複写すべき番組の全てをその質（画質及び音質）を維持しつつ記録することが可能であるか否かが判定される（ステップＳ３）。これにより、全ての番組についてその質を維持したまま複写することが可能であれば（ステップＳ３；ＹＥＳ）、そのまま複写処理を開始し（ステップＳ８）、更に全ての番組が複写された否かを確認する（ステップＳ９）。そして、全ての番組が複写されたときは（ステップＳ９；ＹＥＳ）そのまま実施形態に係る複写処理を終了し、一方、未だ複写処理が完了していないときは（ステップＳ９；ＮＯ）上記ステップＳ８の処理に戻って複写処理を継続する。
【００３６】
一方、ステップＳ３の判定において、全ての番組を一枚のＤＶＤ４ａに複写することができないときは（ステップＳ３；ＮＯ）、次に、その番組をその画質のまま複数のＤＶＤ４ａに分割して記録する場合のその分割方法が選択される（ステップＳ４）。
【００３７】
ここで、当該ステップＳ４における選択処理として具体的には、現在装填されているＤＶＤ４ａに対して複写できるだけ複写し、現在装填されているＤＶＤ４ａが満杯になったら次のＤＶＤ４ａを新たに装填して残りの番組を複写するという処理を繰り返す第一の複写方法（ステップＳ４−１）、複写すべき番組における音（音声）の切れ目で一のＤＶＤ４ａへの複写を中断して新しいＤＶＤ４ａを装填し、次の当該切れ目までその新しく装填されたＤＶＤ４ａへの複写を行うことを繰り返す第二の複写方法（ステップＳ４−２）、複写すべき番組を構成する動画像情報における場面変換のタイミングで一のＤＶＤ４ａへの複写を中断して新しいＤＶＤ４ａを装填し、次の当該場面変換のタイミングまでその新しく装填されたＤＶＤ４ａへの複写を行うことを繰り返す第三の複写方法（ステップＳ４−３）、複写すべき番組を構成する動画像情報における一チャプタの複写が完了するタイミングで一のＤＶＤ４ａへの複写を中断して新しいＤＶＤ４ａを装填し、次の一チャプタの複写が完了するタイミングまでその新しく装填されたＤＶＤ４ａへの複写を行うことを繰り返す第四の複写方法（ステップＳ４−４）、複写すべき番組を構成する動画像情報における一タイトルの複写が完了するタイミングで一のＤＶＤ４ａへの複写を中断して新しいＤＶＤ４ａを装填し、次の一タイトルの複写が完了するタイミングまでその新しく装填されたＤＶＤ４ａへの複写を行うことを繰り返す第五の複写方法（ステップＳ４−５）、複写すべき番組に対応する管理情報により示されるタイミングで一のＤＶＤ４ａへの複写を中断して新しいＤＶＤ４ａを装填し、次に示されるタイミングまでその新しく装填されたＤＶＤ４ａへの複写を行うことを繰り返す第六の複写方法（ステップＳ４−６）、又は、全てのＤＶＤ４ａに対する複写情報の情報量を均等として複写を行う第七の複写方法（ステップＳ４−７）のいずれかが、入力部７又はリモコン部５において選択される。
【００３８】
そして、選択された分割方法に基づいて複写すべき番組における実際の分割箇所を検出して決定し（ステップＳ５）、その分割箇所で分割して番組を複写するために必要なＤＶＤ４ａの数を算出してディスプレイ部１４において表示する（ステップＳ６）。
【００３９】
その後、当該表示されているＤＶＤ４ａの数が使用者をして容認できるものであるか否か入力部７又はリモコン部５における操作により確認され（ステップＳ７）、それが容認できる数であれば（ステップＳ７；ＹＥＳ）、その時に決定されているいずれかの分割方法に基づいて実際に番組を分割してＤＶＤ４ａの入れ替えを行いつつ各ＤＶＤ４ａに番組を複写する（ステップＳ８）。この後は上記ステップＳ９の処理が実行される。
【００４０】
他方、上記ステップＳ７の判定において、必要なＤＶＤ４ａの数が容認できないものであるときは（ステップＳ７；ＮＯ）、そのときとは異なる分割方法を再選択すべく上記ステップＳ４に戻って上述した処理を繰り返す。
【００４１】
なお、ステップＳ７の判定においてそのときの分割方法でＤＶＤ４ａに番組を複写する際に必要なＤＶＤ４ａの数が容認できなかった場合には、その容認できなかったときに選択されていた分割方法とは異なる分割方法が新たなステップＳ４において実行されることとなる。
【００４２】
ここで、夫々の分割方法に基づいて上記ステップＳ８において実行される分割処理について詳説する。
【００４３】
先ず、上記場面変換のタイミングで分割する場合には（ステップＳ４−３参照）、ハードディスク３ａへの番組の記録時においてその場面変換のタイミングを検出しておくことで分割複写時にも同じタイミングで複写を一時中断することができる。
【００４４】
上記音の切れ目で分割する場合には（ステップＳ４−２参照）、ハードディスク３ａへの番組の記録時においてその切れ目を検出しておく（より具体的には、予め設定されているレベル以下に音のレベルが低減したことを検出しておく）ことで分割複写時にも同じ切れ目で複写を一時中断することができる。
【００４５】
また、上記管理情報により示されるタイミングで分割する場合（ステップＳ４−６参照）につき、先ず音に関する管理情報に基づいて分割する場合には、例えば、その音のチャンネル情報（ステレオかモノラルか等）、記録モード（符号化方式等）、サンプリング周波数、量子化定数、その音に対応する複写制御情報、ＤＶＤ４ａ自体の属性（追記型ＤＶＤであるか書き換え可能ＤＶＤであるか、等）、又はエンファシス等のパラメータが変化したタイミングを分割タイミングとすることができる。
【００４６】
更に、動画像情報に関する管理情報に基づいて分割する場合（ステップＳ４−６参照）には、例えば、その動画像情報のアスペクト比（縦横比）、その動画像に対する複写制御情報、その動画像の解像度、その動画像情報が対応するテレビシステム、又はキャプション等のパラメータが変化したタイミングを分割タイミングとすることができる。
【００４７】
以上夫々説明したように、実施形態の情報記録再生装置Ｒにおける複写処理によれば、その情報量が大きい番組であっても、必要な当該番組を複数のＤＶＤ４ａに用いて全て記録することができる。
【００４８】
また、全ての番組を複写するために必要なＤＶＤ４ａの数が表示されるので、使用者は予め必要な数のＤＶＤ４ａを用意した後番組の複写を行うことができ、ＤＶＤ４ａの不足等の理由により番組の複写を中断することなく最後まで完了させることができる。
【００４９】
更に、質の劣化を伴わずに全ての番組をＤＶＤ４ａに記録することができる。
【００５０】
更にまた、上記ステップＳ４−１の分割方法によれば、番組の内容に無関係にＤＶＤ４ａの記録容量を優先して分割するので、ＤＶＤ４ａを効率的に使用して番組の記録を行うことができる。
【００５１】
また、上記ステップＳ４−２の分割方法によれば、音の切れ目のタイミングにおいて番組を分割して記録するので、音が途中で途切れた状態で複数のＤＶＤ４ａに渡って番組が記録されることを防止できる。
【００５２】
更に、上記ステップＳ４−３の分割方法によれば、動画像情報における場面変換のタイミングにおいて分割して複写する部分記録情報を生成するので、動画像情報としてのストーリが途切れた状態で複数のＤＶＤ４ａに渡って番組が記録されることを防止できる。
【００５３】
更にまた、上記ステップＳ４−４又はステップＳ４−５の分割方法によれば、チャプタ又はタイトル等の単位情報の区切りにおいて番組を分割して複写するので、ＤＶＤ４ａに記録後においても階層構造を用いた情報管理を行うことができる。
【００５４】
また、上記ステップＳ４−６の分割方法によれば、管理情報に基づいて番組を分割して複写を行うので、ＤＶＤ４ａに複写後においても管理情報を用いた情報管理を有効に行うことができる。
【００５５】
更に、上記ステップＳ４−７の分割方法によれば、全てのＤＶＤ４ａに同一の情報量で均等に複写されるように番組を分割して複写するので、記録後の複数のＤＶＤ４ａ全体の管理を容易に行うことができる。
【００５６】
なお、上述した実施形態においては、番組の質を低減させないように分割して複写する場合について説明したが、これ以外に、複写に用いるＤＶＤ４ａの数が決められている場合に、その数のＤＶＤ４ａ内に全ての番組を記録することができるように番組の質を調整して複写することもできる。この場合には、予め設定された数のＤＶＤ４ａに全ての番組を記録することが可能となるようにその質を変更して複写するので、予め用意できるＤＶＤ４ａの数が限られている場合でも確実に全ての番組をＤＶＤ４ａに記録することができる。
【００５７】
また、上述した実施形態においては、ハードディスク３ａに一時的に記録される番組をＤＶＤ４ａに複写する場合の処理について説明したが、これ以外に、受信した番組をそのまま直接ＤＶＤ４ａに記録する場合に適用することも可能である。
【００５８】
更に、図２に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るマイコン部８として用いることも可能である。
【図面の簡単な説明】
【００５９】
【図１】実施形態の情報記録再生装置の概要構成を示すブロック図である。
【図２】実施形態の複写処理を示すフローチャートである。
【符号の説明】
【００６０】
１    入力インターフェース部
２    受信部
３    ＨＤドライブ装置
３ａ    ハードディスク
４    ＤＶＤドライブ装置
４ａ    ＤＶＤ
５    リモコン部
６    出力インターフェース部
７    入力部
８    マイコン部
９    メモリ部
１３    リモコンインターフェース部
１４    ディスプレイ部
Ｒ    情報記録再生装置
【図１】
2005108339.tif 000003
【図２】
2005108339.tif 000004